(57)【要約】【課題】  レンズ部を確実且つ簡易にクリーニング可能なレンズカバーと、このレンズカバーを有する光学装置とを提供すること。【解決手段】  レンズカバー１００は、光学装置１０のレンズユニット１７に含まれる投影レンズ部１７ｃをカバーする。レンズカバー１００は、レンズユニット１７に取り付けられた際に投影レンズ部１７ａをカバーすると共に、着脱動作に連動して投影レンズ部１７ａを払拭によってクリーニングするクリーニングカバー部材１７０を有している。【選択図】      図２Ｆ
2014145925.tif 000002
【特許請求の範囲】
【請求項１】
光学装置のレンズユニットに含まれるレンズ部をカバーするレンズカバーであって、
前記レンズユニットに取り付けられた際に前記レンズ部をカバーすると共に、着脱動作に連動して前記レンズ部を払拭によってクリーニングするクリーニングカバー部材を具備することを特徴とするレンズカバー。
【請求項２】
前記レンズユニットに着脱するベース部材をさらに具備し、
前記クリーニングカバー部材は、前記ベース部材に配設されており、前記ベース部材が前記レンズユニットに取り付けられた際に前記レンズ部をカバーすると共に、前記ベース部材の着脱動作に連動して前記レンズ部を払拭によってクリーニングすることを特徴とする請求項１に記載のレンズカバー。
【請求項３】
前記ベース部材は、
付勢力を有する付勢部と、
前記付勢部の両脇それぞれに配設されており、前記付勢力によって互いを引き離されるベース部と、
前記ベース部それぞれに配設され、前記ベース部を前記付勢力に反して引き付けあうように操作する前記操作部と、
前記ベース部それぞれに配設され、前記ベース部同士が操作部によって引き付けあう、または前記ベース部同士が前記付勢力によって引き離されることに連動して、前記レンズユニットに着脱する着脱部と、
を有することを特徴とする請求項２に記載のレンズカバー。
【請求項４】
前記クリーニングカバー部材は、前記ベース部材に対して交換可能となるように前記ベース部材に係合されていることを特徴とする請求項３に記載のレンズカバー。
【請求項５】
前記着脱部は、前記レンズユニットの縁部に着脱自在となっていることを特徴とする請求項３または請求項４に記載のレンズカバー。
【請求項６】
前記付勢部は、蛇行形状を有することを特徴とする請求項３乃至請求項５のいずれか１つに記載のレンズカバー。
【請求項７】
前記クリーニングカバー部材は、
前記着脱部が前記レンズユニットに取り付けられた際に前記レンズ部をカバーし、前記着脱部が前記レンズユニットに着脱することに連動して前記レンズ部を払拭する払拭部と、
前記着脱部それぞれに配設され、前記払拭部が前記レンズ部に当接するように前記払拭部をそれぞれが保持する払拭保持部と、
を有することを特徴とする請求項３乃至請求項６のいずれか１つに記載のレンズカバー。
【請求項８】
前記払拭部は、前記着脱部が前記レンズユニットに着脱することに連動して、互いに引き付けあうまたは引き離されるようにして前記レンズ部を払拭することを特徴とする請求項７に記載のレンズカバー。
【請求項９】
前記払拭部は、前記払拭保持部に対して交換可能となるように前記払拭保持部に保持されていることを特徴とする請求項７または請求項８に記載のレンズカバー。
【請求項１０】
前記払拭部は、前記レンズ部に当接して払拭し、前記レンズ部と略同一の曲率を有する払拭面を有していることを特徴とする請求項７乃至請求項９のいずれか１つに記載のレンズカバー。
【請求項１１】
前記払拭保持部は、前記払拭面が前記レンズ部に当接するように、前記レンズ部に向けて前記払拭部を付勢する付勢部材を有していることを特徴とする請求項７乃至請求項１０のいずれか１つに記載のレンズカバー。
【請求項１２】
前記レンズユニットは、前記レンズ部を支持する支持体をさらに有し、
前記支持体は、前記光学装置の前面が配設される平面に対して前記光学装置の背面に向かって凹設されている凹部をさらに有し、
レンズカバーは、外部にはみ出さないように前記凹部に収容されていることを特徴とする請求項１乃至請求項１１のいずれかに記載のレンズカバー。
【請求項１３】
レンズカバーが外部にはみ出さないように前記凹部に位置決めされた状態で、前記クリーニングカバー部材は前記レンズ部を払拭することを特徴とする請求項１２に記載のレンズカバー。
【請求項１４】
請求項１乃至請求項１３のいずれか１つに記載のレンズカバーを有することを特徴とする光学装置。
【請求項１５】
前記レンズ部は投影レンズ部であることを特徴とする請求項１４に記載の光学装置。
【発明の詳細な説明】
【技術分野】
【０００１】
本発明は、光学装置のレンズ部をカバーするレンズカバーと、このレンズカバーを有する光学装置とに関する。
【背景技術】
【０００２】
一般的に、光学装置として、例えばプロジェクタなどの投影装置は、画像を外部に投影する投影レンズ部と、投影レンズ部をカバーするレンズカバーとを有している。このレンズカバーは、プロジェクタの未使用時において投影レンズ部に取り付けられるように投影レンズ部をカバーし、プロジェクタの使用時において投影レンズ部が露出するように投影レンズ部から取り外される。レンズカバーが投影レンズ部をカバーすることによって、レンズカバーは埃などの汚れが投影レンズ部に付着することを防止している。しかし、プロジェクタの使用時において、レンズカバーは必ず投影レンズ部から取り外され、投影レンズ部は露出してしまい、汚れが投影レンズ部に付着してしまう。
【０００３】
このため、例えば特許文献１には、埃を、カバーの開閉によって生じる静電気を利用して除去する光学機器が開示されている。
【先行技術文献】
【特許文献】
【０００４】
【特許文献１】特開２００３−３４４９０４号公報
【発明の概要】
【発明が解決しようとする課題】
【０００５】
投影レンズ部に付着した汚れは、投影レンズ部から発生する熱によって、投影レンズ部に強固に付着してしまう。前記した特許文献１において、このような汚れは、静電気では確実に除去されない虞が生じる。
【０００６】
また近年、プロジェクタは、長寿命化が進んでおり、例えば、屋外や屋外に準ずる環境に長期間設置されたり、室内の天井に長期間吊設されたりする。このような場合、クリーニングが定期的に実施されなければならず、クリーニングの手間がかからないようにすることも要求される。
【０００７】
このように、投影レンズ部に強固に付着する汚れやプロジェクタの長寿命化に伴い、投影レンズ部を確実且つ簡易にクリーニングすることが要望されている。
【０００８】
また、デジタルカメラ等、撮像レンズ部に付着する汚れについても、確実且つ簡易にクリーニングすることが要望されている。
【０００９】
このため本発明の課題は、レンズ部を確実且つ簡易にクリーニング可能なレンズカバーと、このレンズカバーを有する光学装置とを提供することである。
【課題を解決するための手段】
【００１０】
以上を解決するために、本発明のレンズカバーは、光学装置のレンズユニットに含まれるレンズ部をカバーするレンズカバーであって、前記レンズユニットに取り付けられた際に前記レンズ部をカバーすると共に、着脱動作に連動して前記レンズ部を払拭によってクリーニングするクリーニングカバー部材を具備することを特徴とする。
【００１１】
また本発明の光学装置は、前記に記載のレンズカバーを有する。
【発明の効果】
【００１２】
本発明によれば、レンズ部を確実且つ簡易にクリーニング可能なレンズカバーと、このレンズカバーを有する光学装置とを提供することができる。
【図面の簡単な説明】
【００１３】
【図１Ａ】図１Ａは、本発明の第１の実施形態に係り、レンズカバーが投影レンズ部をカバーしている状態のプロジェクタの概略斜視図である。
【図１Ｂ】図１Ｂは、図１Ａに示すレンズカバーが取り外された状態のプロジェクタの概略斜視図である。
【図２Ａ】図２Ａは、クリーニングカバー部材を除くレンズカバーの分解斜視図である。
【図２Ｂ】図２Ｂは、クリーニングカバー部材を除いた状態で前からみたレンズカバーの斜視図である。
【図２Ｃ】図２Ｃは、クリーニングカバー部材を除いた状態で後ろからみたレンズカバーの斜視図である。
【図２Ｄ】図２Ｄは、側方からみたレンズカバーの斜視図である。
【図２Ｅ】図２Ｅは、後ろからみたレンズカバーの斜視図である。
【図２Ｆ】図２Ｆは、払拭部が引き離された状態で投影レンズ部に当接している状態の概略断面図である。
【図２Ｇ】図２Ｇは、払拭部が引き付けられた状態で投影レンズ部に当接している状態の概略断面図である。
【図３Ａ】図３Ａは、第２の実施形態に係り、クリーニングカバー部材側からみたベース部材とクリーニングカバー部材と付勢部材と取り付け部材との分解斜視図である。
【図３Ｂ】図３Ｂは、ベース部材側からみたベース部材とクリーニングカバー部材と付勢部材と取り付け部材との分解斜視図である。
【図３Ｃ】図３Ｃは、ベース部材の斜視図である。
【図３Ｄ】図３Ｄは、取り付け部材を介して付勢部材が取り付けられているクリーニングカバー部材の斜視図である。
【図３Ｅ】図３Ｅは、クリーニングカバー部材に取り付けられている取り付け部材の斜視図である。
【図３Ｆ】図３Ｆは、付勢部材が伸びた状態で投影レンズ部がクリーニングされる際の概略断面図である。
【図３Ｇ】図３Ｇは、付勢部材が縮んだ状態で投影レンズ部がクリーニングされる際の概略断面図である。
【発明を実施するための形態】
【００１４】
以下、図面を参照して本発明の実施形態について詳細に説明する。  
ここでは、光学装置として、レンズ部の一例である投影レンズ部１７ａを有する投影装置の例で説明する。  
［第１の実施形態］  
［構成］  
図１Ａと図１Ｂ及び図２Ａ乃至図２Ｇを参照して、第１の実施形態について説明する。なお例えば図２Ａにおいてクリーニングカバー部材１７０の図示を省略するように、図示の簡略化のために、一部の図面では一部の部材の図示を省略している。
【００１５】
［プロジェクタ１０］  
図１Ａは、本発明の第１の実施形態に係り、レンズカバー１００が投影レンズ部をカバーしている状態のプロジェクタの概略斜視図である。  
図１Ｂは、図１Ａに示すレンズカバー１００が取り外された状態のプロジェクタの概略斜視図である。  
図２Ａ〜図２Ｇは、本発明の第１の実施形態に係るレンズカバー１００（の周辺）を説明するための図である。
【００１６】
詳細には、図２Ａは、クリーニングカバー部材を除くレンズカバーの分解斜視図である。
【００１７】
図２Ｂは、クリーニングカバー部材を除いた状態で前からみたレンズカバーの斜視図である。  
図２Ｃは、クリーニングカバー部材を除いた状態で後ろからみたレンズカバーの斜視図である。  
図２Ｄは、側方からみたレンズカバーの斜視図である。  
図２Ｅは、後ろからみたレンズカバーの斜視図である。  
図２Ｆは、払拭部が引き離された状態で投影レンズ部に当接している状態の概略断面図である。  
図２Ｇは、払拭部が引き付けられた状態で投影レンズ部に当接している状態の概略断面図である。
【００１８】
図１Ａと図１Ｂとに示すような例えばプロジェクタ１０などの投影装置は、例えば、屋外、屋外に準ずる環境、室内等に設置される。室内に設置される場合、プロジェクタ１０は、例えば会議室などの室内の天井に吊設される。プロジェクタ１０は、略直方体形状の筐体を有している。筐体は、下ケース１１と上ケース１３とを有している。
【００１９】
図１Ａと図１Ｂとに示すように、下ケース１１は、前面板１１ａと左側板１１ｂと右側板１１ｃと背面板１１ｄと底面板１１ｅとによって形成されている。このように形成されている下ケース１１は、上ケース１３によって覆われる不図示の上側開口部を有する箱形であり、角に丸みを有している。前面板１１ａと左側板１１ｂと右側板１１ｃとは吸排気口１１ｈを有しており、背面板１１ｄは図示しない吸気口を有している。
【００２０】
図１Ａと図１Ｂとに示すように、上ケース１３は、例えば薄い平板によって形成されており、角に丸みを有している。上ケース１３は、例えば、電源キーを有する操作パネル１３ａや、各種のインジケータ１３ｂや、照度センサー１３ｃや、スピーカ１３ｄなどを有している。
【００２１】
以下において、プロジェクタ１０の高さ方向をＺ方向または上下方向と称し、プロジェクタ１０の幅方向をＸ方向または左右（右左）方向と称し、プロジェクタ１０の長さ方向をＹ方向または前後方向と称する。上下方向と左右方向と前後方向とは、互いに直交している。この場合、底面板１１ｅと上ケース１３とは、例えば、上下方向において互いに対向している。また左側板１１ｂと右側板１１ｃとは、例えば、左右方向において互いに対向している。また前面板１１ａと背面板１１ｄとは、例えば、前後方向において互いに対向している。
【００２２】
なお、本実施形態において、プロジェクタ１０における左右とは投影方向に対しての左右方向を示し、前後とはプロジェクタ１０のスクリーン側方向及び光線束の進行方向に対しての前後方向を示す。
【００２３】
図１Ａと図１Ｂとに示すように、プロジェクタ１０は、プロジェクタ１０の内部に配設されている光学系に含まれ、例えば前後方向に沿って直線状に配設されているレンズユニット１７を有している。
【００２４】
［レンズユニット１７］  
図１Ａと図１Ｂとに示すように、レンズユニット１７は、レンズユニット１７の最も前方に配設され、画像を外部に投影する投影レンズ部１７ａと、投影レンズ部１７ａの焦点を調整するフォーカスリング１７ｂと、画像の倍率を調整するズームリング１７ｃとを有している。  
投影レンズ部１７ａは、例えば円柱形状を有している。また図１Ａと図１Ｂとに示すように、例えば、投影レンズ部１７ａは、前面板１１ａに配設されるのではなく、前面板１１ａに対して背面板１１ｄ側に引っ込むように配設されている。投影レンズ部１７ａは、後述するレンズカバー１００によってカバーされる。  
投影レンズ部１７ａの焦点は、フォーカスリング１７ｂが手動操作されることによって調整される。この場合、投影レンズ部１７ａは、レンズユニット１７の光軸に沿って前後に移動する。光軸は、例えば、前後方向に沿って配設されている。  
また投影レンズ部１７ａが投影する画像の倍率は、ズームリング１７ｃが手動操作されることによって調整される。  
フォーカスリング１７ｂとズームリング１７ｃとは、レンズユニット１７がフォーカスリング１７ｂとズームリング１７ｃとに挿入されるように、例えば筒形状を有している。フォーカスリング１７ｂとズームリング１７ｃとは、レンズユニット１７の先端部（前方部）に配設されている。フォーカスリング１７ｂは、投影レンズ部１７ａを支持している。図１Ａと図１Ｂとに示すように、フォーカスリング１７ｂは、ズームリング１７ｃよりも前方且つズームリング１７ｃに隣り合うように配設されている。
【００２５】
［支持体２０］  
また図１Ａと図１Ｂとに示すように、レンズユニット１７は、投影レンズ部１７ａとフォーカスリング１７ｂとズームリング１７ｃとを含むレンズユニット１７を支持する支持体２０をさらに有している。支持体２０は、例えばプラスチックによって形成されている。  
図１Ａと図１Ｂとに示すように、支持体２０は、レンズユニット１７の先端部を支持する。支持体２０は、前面板１１ａの一部と上ケース１３の一部とが互いに連通するように切り欠かれることで形成される不図示の略四角柱形状の切り欠き部に配設される。切り欠き部は、プロジェクタ１０の上方と前方と内部とに連通している。このため、上ケース１３と前面板１１ａとは凹形状を有している。
【００２６】
［調整凹部２１］  
図１Ａと図１Ｂとに示すように、支持体２０は、下ケース１１の上側開口部を覆っている上ケース１３と同一平面に対して底面板１１ｅに向かって凹設されている調整凹部２１を有している。この調整凹部２１は、フォーカスリング１７ｂとズームリング１７ｃとがプロジェクタ１０の上方から操作されるように、凹設されている。そして調整凹部２１は、上ケース１３が下ケース１１の上側開口部を覆っていてもプロジェクタ１０の上方に対して開口している。調整凹部２１は、フォーカスリング１７ｂとズームリング１７ｃとが前記した調整のためにレンズユニット１７の軸周りに回動するように、配設されている。調整凹部２１は、フォーカスリング１７ｂのつまみとズームリング１７ｃのつまみとが上ケース１３よりもプロジェクタ１０の上方に突出しないように凹設されている。調整凹部２１は、プロジェクタ１０の内部と連通している。
【００２７】
［カバー凹部２３］  
また図１Ａと図１Ｂとに示すように、支持体２０は、レンズカバー１００が投影レンズ部１７ａを例えばプロジェクタ１０の前方からカバーするように配設可能で、前面板１１ａが配設されるＺＸ平面に対して背面板１１ｄに向かって凹設されているカバー凹部２３をさらに有している。カバー凹部２３は、少なくともプロジェクタ１０の前方に対して開口しており、図１Ａと図１Ｂとに示すように上方に対してさらに開口している。カバー凹部２３は、レンズカバー１００が設置されるカバー設置部として機能し、レンズカバー１００を収容するカバー収容部として機能する。
【００２８】
レンズカバー１００が投影レンズ部１７ａをカバーしている状態で、レンズカバー１００と支持体２０との間に隙間が生じないように、カバー凹部２３の幅はレンズカバー１００の幅と略同一である。  
レンズカバー１００が投影レンズ部１７ａをカバーしている状態で、レンズカバー１００が上ケース１３よりも上方に突出しないように、カバー凹部２３の高さはレンズカバー１００の高さと略同一である。  
レンズカバー１００が投影レンズ部１７ａをカバーし、カバー凹部２３がレンズカバー１００を収容している状態で、レンズカバー１００が前面板１１ａに対して背面板１１ｄ側に引っ込むように、カバー凹部２３の厚み（奥行）はレンズカバー１００の厚みよりも厚い。
【００２９】
［仕切り壁部２５］  
図１Ｂに示すように、カバー凹部２３は、調整凹部２１と連通しておらず、別体である。このため支持体２０は、カバー凹部２３と調整凹部２１とを仕切る仕切り壁部２５をさらに有している。仕切り壁部２５は、前面板１１ａに対して、背面板１１ｄ側にオフセットして配設されており、引っ込んでいる。
【００３０】
［開口部２７］  
また図１Ｂに示すように、支持体２０は、カバー凹部２３、詳細には仕切り壁部２５に配設され、プロジェクタ１０の内部に配設されている投影レンズ部１７ａが外部に露出し、投影レンズ部１７ａが画像を投影するために配設されている開口部２７をさらに有している。開口部２７は、プロジェクタ１０の内部と連通している。開口部２７は、投影レンズ部１７ａと略同軸上に配設されている。開口部２７は、投影レンズ部１７ａと同じ大きさ、またはそれよりも大きい。開口部２７の縁部２７ａにおいて、縁部２７ａの一部２７１ａは、レンズカバー１００を投影レンズ部１７ａに対して上下左右方向に位置決めするためにレンズカバー１００の後述する位置決め部１３３（図２Ａ参照）が位置決めされる被位置決め部として機能する。また縁部２７ａの他部２７１ｂは、レンズカバー１００を投影レンズ部１７ａに取り付けるためにレンズカバー１００の後述する着脱部１５７（図２Ａ参照）が着脱自在に係合する被係合部として機能する。
【００３１】
［レンズカバー１００］  
図１Ａと図１Ｂ及び図２Ａ乃至図２Ｇに示すように、プロジェクタ１０は、プロジェクタ１０のレンズユニット１７に含まれる投影レンズ部１７ａに着脱自在となるようにカバーするレンズカバー１００を有している。このレンズカバー１００は、レンズカバー１００がカバー凹部２３に配設されて投影レンズ部１７ａをカバー可能となるように、投影レンズ部１７ａに対して着脱自在となっている。詳細には、レンズカバー１００は、投影レンズ部１７ａをカバー可能となるように、縁部２７ａの一部２７１ａ（被位置決め部）に位置決めされて、図２Ｆと図２Ｇとに示すように縁部２７ａの他部２７１ｂ（被係合部）に係合自在となっている。このようにレンズカバー１００は、レンズユニット１７における縁部２７ａの他部２７１ｂ（被係合部）を介して間接的に投影レンズ部１７ａに着脱自在となっている。
【００３２】
図１Ａに示すように、レンズカバー１００がレンズユニット１７に取り付けられる際、レンズカバー１００はカバー凹部２３の内部から外部にはみ出さないようにカバー凹部２３に収容される。このときレンズカバー１００は、後述する位置決め部１３３によって外部にはみ出さないようにカバー凹部２３に位置決めされる。
【００３３】
図１Ｂに示すように、レンズカバー１００がレンズユニット１７から取り外される際、投影レンズ部１７ａ全体が露出するようにレンズカバー１００が投影レンズ部１７ａに対して上方にスライドするのではなく、レンズカバー１００全体がカバー凹部２３から外れるようにレンズユニット１７から取り外される。レンズカバー１００はプロジェクタ１０と別体となっているため、取り外されたレンズカバー１００は、例えばストラップなどの図示しない吊下げ部材によって、プロジェクトに吊下げられていてもよい。
【００３４】
図２Ａ乃至図２Ｇに示すように、レンズカバー１００は、前ケース１１０と、後ケース１３０と、前ケース１１０によって支持されるとともに、前ケース１１０と後ケース１３０とによって前面と後面とを挟持され、レンズユニット１７に着脱するベース部材１５０と、後ケース１３０の後方に配設されるようにベース部材１５０に配設されるクリーニングカバー部材１７０とを有している。
【００３５】
図２Ａ乃至図２Ｃに示すように、前ケース１１０と後ケース１３０とは、ベース部材１５０とクリーニングカバー部材１７０とを支持する支持ユニットとして機能する。図２Ｆと図２Ｇとに示すように、ベース部材１５０とクリーニングカバー部材１７０とは、投影レンズ部１７ａをクリーニング及びカバーするクリーニングカバーユニットとして機能する。また図２Ａ乃至図２Ｃに示すように、前ケース１１０と後ケース１３０とは、ベース部材１５０をケースするケースユニットとしても機能する。この場合、前ケース１１０は、ベース部材１５０を支持する支持体である。また後ケース１３０は、ベース部材１５０を支持する前ケース１１０に対して、前ケース１１０の後面を蓋して、ベース部材１５０が前ケース１１０から脱落することを防止する。
【００３６】
［前ケース１１０］  
図２Ａと図２Ｂとに示すように、前ケース１１０は、例えば、Ｈ字形状を有している。このため、前ケース１１０は、上下方向に沿って配設されている１対の長辺部１１１と、左右方向に沿って配設されている短辺部１１３とによって形成されている。短辺部１１３の両端部分は、それぞれ長辺部１１１と連結している。図２Ａに示すように、左右方向において、長辺部１１１の間には、隙間部１１５が形成される。前ケース１１０は、例えば、プラスチックによって形成されている。
【００３７】
図２Ａに示すように、前ケース１１０は、後述するベース部材１５０が長辺部１１１に沿って配設され且つ隙間部１１５に配設されるようにベース部材１５０を支持する支持部１１７と、後ケース１３０の後述する係合開口部１３１と係合する係合突起部１１９とを有している。
【００３８】
図２Ａに示すように、支持部１１７は、例えば、前ケース１１０の後面から後方に向かって突起している。支持部１１７は、例えば、円筒形状を有している。支持部１１７は、例えば、前ケース１１０の中心部である短辺部１１３の中心部に配設されている。
【００３９】
図２Ａに示すように、係合突起部１１９は、例えば、前ケース１１０の後面から後方に向かって突起している。係合突起部１１９は、例えば、筒形状を有している。係合突起部１１９は、例えば、前ケース１１０の４隅、言い換えると長辺部１１１の両脇部分に配設されている。支持部１１７がベース部材１５０を支持した状態で、係合突起部１１９が係合開口部１３１と係合するように後ケース１３０が前ケース１１０の後面を蓋することで、前ケース１１０と後ケース１３０とからのベース部材１５０の脱落が防止されたレンズカバー１００が形成される。
【００４０】
［後ケース１３０］  
図２Ａ乃至図２Ｃに示すように、後ケース１３０は、例えば、矩形形状を有している薄板によって形成されている。後ケース１３０は、例えば、プラスチックによって形成されている。後ケース１３０は、前ケース１１０よりも薄い。
【００４１】
図２Ａと図２Ｃとに示すように、後ケース１３０は、係合突起部１１９と係合する係合開口部１３１と、レンズカバー１００がカバー凹部２３に配設される際に、縁部２７ａの一部２７１ａ（被位置決め部）に位置決めされことによって投影レンズ部１７ａに対してレンズカバー１００を位置決めする位置決め部１３３とを有している。また図２Ａと図２Ｃとに示すように、後ケース１３０は、縁部２７ａの他部２７１ｂ（被係合部）に係合するレンズカバー１００の着脱部１５７が貫通する貫通口１３５とをさらに有している。
【００４２】
図２Ａに示すように、係合開口部１３１は、例えば、前後方向である後ケース１３０の厚み方向において、後ケース１３０を貫通している貫通口である。係合開口部１３１は、係合突起部１１９が突起する形状を有している。係合開口部１３１は、例えば、後ケース１３０の４隅に配設されている。
【００４３】
図２Ａと図２Ｃとに示すように、位置決め部１３３は、後ケース１３０と一体である。位置決め部１３３は、後ケース１３０の後面の一部が立設することによって形成される。このように、位置決め部１３３は、後ケース１３０の後面から後方に向かって突起している。位置決め部１３３は、例えば、矩形の平板形状を有している。位置決め部１３３は、矩形の長辺部が上下方向に沿って配設されるように、配設されている。上下方向における位置決め部１３３の長さは、開口部２７（一部２７１ａ）の長さと略同一である。一方の位置決め部１３３と他方の位置決め部１３３とは、互いに開口部２７の幅の長さと同じ長さだけ左右方向において互いに離れている。１対の位置決め部１３３は縁部２７ａの一部２７１ａに当接することで、投影レンズ部１７ａに取り付けられているレンズカバー１００が上下左右方向にがたつくことを防止する。
【００４４】
図２Ａと図２Ｃとに示すように、貫通口１３５は、前後方向である後ケース１３０の厚み方向において、後ケース１３０を貫通している。貫通口１３５は、例えば、矩形形状を有しており、左右方向に沿って配設されている。貫通口１３５は、前後方向において、隙間部１１５と対向するように配設されている。一方の貫通口１３５と他方の貫通口１３５とは、互いに、上下方向において所望な距離離れている。図２Ｆに示すように、貫通口１３５は、後述するベース部材１５０のベース部１５３がベース部材１５０の付勢部１５１の付勢力によって上下方向に伸びきることを防止する。
【００４５】
［ベース部材１５０］  
図２Ａ乃至図２Ｃに示すようなベース部材１５０は、例えば、樹脂によって成形されており、前ケース１１０と後ケース１３０とに比べて柔らかい。ベース部材１５０は、左右方向において、長辺部１１１の間、つまり隙間部１１５に配設されている。ベース部材１５０は、前ケース１１０と略同一の厚みを有している。
【００４６】
図２Ａ乃至図２Ｃに示すように、ベース部材１５０は、付勢力を有する付勢部１５１と、上下方向において付勢部１５１の両脇それぞれに配設され、付勢力によって互いを引き離されるベース部１５３とを有している。  
また図２Ａ乃至図２Ｃに示すように、ベース部材１５０は、ベース部１５３それぞれに配設され、ベース部１５３を付勢力に反して引き付けあうように操作するつまみである操作部１５５と、ベース部１５３それぞれに配設され、クリーニングカバー部材１７０を保持し、ベース部１５３同士が操作部１５５によって引き付けあう、またはベース部１５３同士が付勢力によって引き離されることに連動して、クリーニングカバー部材１７０を保持した状態でレンズユニット１７に着脱（係合、係脱する）する着脱部１５７（係合部１５７）とをさらに有している。
【００４７】
［付勢部１５１］  
図２Ａに示すように、付勢部１５１の一端部は一方のベース部１５３と一体化しており、付勢部１５１の他端部は他方のベース部１５３と一体化している。付勢部１５１は、ベース部１５３同士を互いに上下方向において引き離すような付勢力を有している。付勢部１５１は、例えば、「８」の字形状の蛇行形状を有している。樹脂によって成形され蛇行形状を有する付勢部１５１は、例えば、上下方向に伸縮自在となっている。付勢部１５１は、例えばバネなどの弾性部材として機能する。
【００４８】
図２Ａに示すように、付勢部１５１は、前ケース１１０の支持部１１７がベース部材１５０を支持するために支持部１１７が係合する係合部１５１ａを有している。係合部１５１ａは、例えば円筒形状を有しており、付勢部１５１の中心に配設されている。係合部１５１ａが支持部１１７と係合し、支持部１１７がベース部材１５０を支持することによって、付勢部１５１は短辺部１１３によって覆われ、ベース部１５３が隙間部１１５から露出するように、ベース部材１５０は前ケース１１０に対して位置決めされる。なお係合部１５１ａが支持部１１７との係合を解除することで、付勢部１５１を含むベース部材１５０は交換可能となっている。
【００４９】
［ベース部１５３］  
図２Ａと図２Ｂとに示すように、一方のベース部１５３は、他方のベース部１５３と略同一の構成を有している。ベース部１５３は、互いに、付勢部１５１を中心に対称に配設されている。ベース部１５３は、板形状を有している。
【００５０】
［操作部１５５］  
操作部１５５は、投影レンズ部１７ａに対するレンズカバー１００の着脱と、投影レンズ部１７ａのクリーニングとを操作する。
【００５１】
図２Ａと図２Ｂとに示すように、操作部１５５は、操作部１５５が隙間部１１５に位置し、操作部１５５同士が短辺部１１３を上下方向において挟み込むように、ベース部材１５０前面に配設されている。操作部１５５は、左右方向において、隙間部１１５と略同一の長さを有している。このような長さを有する操作部１５５が隙間部１１５に配置されることによって、ベース部材１５０は前ケース１１０に対して係合部１５１ａの軸回りに回転することを防止される。
【００５２】
操作部１５５は、払拭部１７１が投影レンズ部１７ａを払拭するように、付勢部１５１とベース部１５３と着脱部１５７と後述する払拭保持部１７３とを介して払拭部１７１を操作する。
【００５３】
［着脱部１５７］  
図２Ｇに示すように、着脱部１５７は、付勢部１５１の付勢力に対抗してベース部１５３同士が操作部１５５の操作によって上下方向に互いに引き付けあうことで、レンズユニット１７から取り外される。また図２Ｆに示すように、着脱部１５７は、付勢部１５１の付勢力によってベース部１５３が上下方向に互いに引き離されることで、レンズユニット１７に取り付けられる。また図２Ｃと図２Ｅとに示すように、ベース部１５３が付勢部１５１の付勢力によって上下方向に互いに離れるように付勢された際、貫通口１３５を貫通している着脱部１５７が貫通口１３５の縁部に当接することで、ベース部材１５０が上下方向に伸びきることが防止される。
【００５４】
図２Ａに示すように、着脱部１５７は、着脱部１５７がベース部材１５０の後面から後方に向かって突出し、着脱部１５７が貫通口１３５を貫通するように、ベース部材１５０の後面に配設されている。着脱部１５７は、例えば、上下方向において、操作部１５５よりも付勢部１５１から離れて配設されている。
【００５５】
このような着脱部１５７は、図２Ｆと図２Ｇとに示すように、前記したように着脱部１５７がレンズユニット１７に着脱する際に、レンズユニット１７、詳細には、レンズユニット１７に含まれる支持体２０に配設される開口部２７の縁部２７ａの他部２７１ｂ（被係合部）に着脱自在となっている。図２Ａと図２Ｃと図２Ｆとに示すように、この着脱部１５７は、クリーニングカバー部材１７０の払拭保持部１７３をフックするフック部１５７ａを有している。フック部１５７ａは、着脱部１５７の先端部に配設されている。フック部１５７ａは、例えば、Ｌ字形状を有している。
【００５６】
［クリーニングカバー部材１７０］  
図２Ｆと図２Ｇとに示すように、クリーニングカバー部材１７０は、ベース部材１５０がレンズユニット１７に取り付けられた際に投影レンズ部１７ａをカバーすると共に、ベース部材１５０の着脱動作に連動して投影レンズ部１７ａを払拭によってクリーニングする。つまりクリーニングカバー部材１７０は、ワイパーとして機能する。クリーニングカバー部材１７０の後述する払拭部１７１の払拭面１７１ｃ以外の部分は、例えば、樹脂によって成形されている。
【００５７】
図２Ｄ乃至図２Ｇに示すように、クリーニングカバー部材１７０は、着脱部１５７がレンズユニット１７に取り付けられた際に投影レンズ部１７ａをカバーし、着脱部１５７がレンズユニット１７に着脱することに連動して投影レンズ部１７ａを払拭する払拭部１７１と、着脱部１５７それぞれに保持され、払拭部１７１が投影レンズ部１７ａに当接するように払拭部１７１をそれぞれが保持する払拭保持部１７３とを有している。
【００５８】
［払拭部１７１］  
図２Ｆと図２Ｇとに示すように、払拭部１７１は、着脱部１５７がレンズユニット１７に着脱することに連動して、互いに引き付けあうまたは引き離されるようにして投影レンズ部１７ａを払拭する。詳細には、払拭部１７１は、付勢部１５１の付勢力または操作部１５５の操作によって、上下方向に、投影レンズ部１７ａの外縁側から中心に向かって、または中心から外縁側に向かって、投影レンズ部１７ａを払拭する。払拭部１７１は、払拭時に、投影レンズ部１７ａに対してスライドするが、カバー凹部２３の内部から外部にはみ出ないようにカバー凹部２３の内部において投影レンズ部１７ａに対してスライドする。このとき、払拭部１７１を駆動させるベース部１５３も、カバー凹部２３の内部から外部にはみ出ないようにカバー凹部２３の内部において上下方向に移動する。そして図１Ａと図２Ｅと図２Ｆとに示すように、レンズカバー１００は、外部にはみ出さないようにカバー凹部２３に位置決めされた状態で収容されている。払拭部１７１は、例えば、投影レンズ部１７ａの焦点が調整されて、投影レンズ部１７ａが最も前方に移動した際に、投影レンズ部１７ａに当接して、前記したように払拭する。
【００５９】
図２Ｄと図２Ｅと図２Ｆと図２Ｇとに示すように、払拭部１７１は、払拭保持部１７３に対して交換可能となるように払拭保持部１７３にそれぞれ保持されている。このため払拭部１７１は、払拭保持部１７３によって直接保持される払拭本体部１７１ａと、払拭本体部１７１ａに配設され、投影レンズ部１７ａに当接し、クリーニングのために投影レンズ部１７ａを払拭する払拭面１７１ｃとを有している。
【００６０】
図２Ｄと図２Ｆと図２Ｇとに示すように、払拭部１７１が前記したように交換可能となるように、払拭本体部１７１ａは、払拭本体部１７１ａの後面に配設されており、払拭保持部１７３の他端部が挿抜自在に圧入される圧入口１７１ｂを有している。
【００６１】
払拭面１７１ｃは、払拭本体部１７１ａの前面に例えば接着剤などによって貼り付けられている。払拭面１７１ｃは、例えば、互いに略半円形状を有している。そして、払拭面１７１ｃは、投影レンズ部１７ａの形状に対応するように、２つの払拭面１７１ｃによって例えば略円形状を形成している。払拭面１７１ｃは、例えば、投影レンズ部１７ａの光軸を中心に、上半分と下半分とに分割されている。そして払拭面１７１ｃは、例えば、投影レンズ部１７ａを上下方向において払拭する。払拭のために、払拭面１７１ｃ全体の面積は、投影レンズ部１７ａの面積よりも小さい。払拭面１７１ｃは、例えば、布やクッション材やエラストマーなど、払拭に適した材質を有している。払拭面１７１ｃは、投影レンズ部１７ａと略同一の曲率を有している。
【００６２】
［払拭保持部１７３］  
図２Ｄ乃至図２Ｇに示すように、払拭保持部１７３は、例えば、Ｌ字形状を有している。払拭保持部１７３の一端部はフック部１５７ａが挿抜可能に貫通する貫通口１７３ａを有しており、払拭保持部１７３の他端部は圧入口１７１ｂに挿抜可能に圧入されている。このように払拭保持部１７３は、払拭部１７１を直接保持している。フック部１５７ａが貫通口１７３ａに対して抜去されることで、クリーニングカバー部材１７０全体が交換可能となっている。つまりクリーニングカバー部材１７０は、ベース部材１５０に対して交換可能となるようにベース部材１５０に係合されている。払拭保持部１７３の他端部が圧入口１７１ｂから抜去されることで、払拭部１７１が交換可能となっている。
【００６３】
なおＬ字形状の払拭保持部１７３の例えば一端部（一辺部）は、例えば、一方の払拭部１７１が他方の払拭部１７１とは光軸を中心に対称に配設され、一方の払拭部１７１の移動長さが他方の払拭部１７１の移動長さと等しくなるような長さを有している。  
またＬ字形状の払拭保持部１７３の例えば他端部（他辺部）は、例えばレンズカバー１００が取り付けられて、投影レンズ部１７ａがレンズユニット１７の光軸に沿って最も前方に移動した際に、払拭面１７１ｃが投影レンズ部１７ａに当接するような長さを有している。
【００６４】
［動作］  
［プロジェクタ１０の未使用時（レンズカバー１００が取り付けられる際）］  
レンズカバー１００が投影レンズ部１７ａをカバーする際、フォーカスリング１７ｂが操作され、投影レンズ部１７ａはレンズユニット１７の光軸に沿って最も前方に移動する。  
次に操作者は、操作部１５５を摘み、操作部１５５を介して、付勢部１５１の付勢力に対抗して上下方向においてベース部１５３同士を互いに引き付けあわせる。この状態で、レンズカバー１００は例えば前方からカバー凹部２３に収容される。このとき、位置決め部１３３は縁部２７ａの一部２７１ａに位置決めされ、これによりレンズカバー１００は投影レンズ部１７ａに対して位置決めされる。このとき払拭面１７１ｃは投影レンズ部１７ａに当接する。
【００６５】
次に操作者は操作部１５５から手を放すと、図２Ｆに示すようにベース部１５３同士は付勢部１５１の付勢力によって上下方向において互いに引き離される。これにより、着脱部１５７は、縁部２７ａの他部２７１ｂに係合する。これにより払拭面１７１ｃが投影レンズ部１７ａに当接し、レンズカバー１００がカバー凹部２３に位置決めされ、レンズカバー１００が投影レンズ部１７ａをカバーした状態で、レンズカバー１００はレンズユニット１７を介して投影レンズ部１７ａに取り付けられる。
【００６６】
払拭面１７１ｃは、例えば布やクッション材やエラストマーなど払拭に適した材質を有しており、投影レンズ部１７ａと略同一の曲率を有している。このような払拭面１７１ｃは投影レンズ部１７ａに当接している。これにより、投影レンズ部１７ａは、外部から保護される。
【００６７】
なおこの場合、レンズカバー１００は投影レンズ部１７ａをカバーしていれば、払拭面１７１ｃは必ずしも投影レンズ部１７ａに当接する必要はない。よって、投影レンズ部１７ａを移動させなければ手間を省くことができる。
【００６８】
また、プロジェクタ１０の電源オフ時に投影レンズ部１７ａがレンズユニット１７の光軸に沿って最も前方に移動するような電動機構を持つようにしてもよい。
【００６９】
［プロジェクタ１０の使用時（レンズカバー１００が取り外される際）］  
プロジェクタ１０の未使用時に対して、操作者は、操作部１５５を摘み、操作部１５５を介して、図２Ｇに示すように、付勢部１５１に付勢力に対抗して上下方向においてベース部１５３同士を互いに引き付けあわせる。これにより、着脱部１５７は縁部２７ａの他部２７１ｂに対する係合を解除する。そしてレンズカバー１００は、レンズユニット１７を介して投影レンズ部１７ａから取り外され、カバー凹部２３から取り外される。
【００７０】
［投影レンズ部１７ａのクリーニング時］  
レンズカバー１００が投影レンズ部１７ａをカバーする際、フォーカスリング１７ｂが操作され、投影レンズ部１７ａはレンズユニット１７の光軸に沿って最も前方に移動する。
【００７１】
次に前記したように、図２Ｆに示すようにレンズカバー１００がレンズユニット１７を介して投影レンズ部１７ａに取り付けられる。そしてレンズカバー１００がレンズユニット１７を介して投影レンズ部１７ａに取り付けられている状態で、操作者は、操作部１５５を摘み、操作部１５５を介して、図２Ｆと図２Ｇとに示すレンズユニット１７に対するレンズカバー１００の着脱動作を繰り返す。詳細には、操作者は、図２Ｇに示すように付勢部１５１に付勢力に対抗して上下方向においてベース部１５３同士を互いに引き付けあわせる第１の動作と、図２Ｆに示すように付勢部１５１の付勢力によって上下方向においてベース部１５３同士を互いに引き離させる第２の動作とを交互に繰り返す。  
図２Ｇに示す第１の動作は、着脱部１５７が縁部２７ａの他部２７１ｂに対する係合を解除し、レンズカバー１００はレンズユニット１７を介して投影レンズ部１７ａから取り外されることを示す。  
図２Ｆに示す第２の動作は、着脱部１５７が縁部２７ａの他部２７１ｂに対する係合し、レンズカバー１００はレンズユニット１７を介して投影レンズ部１７ａに取り付けられることを示す。
【００７２】
これにより、投影レンズ部１７ａに当接している払拭面１７１ｃは、この着脱動作に連動して、クリーニングのために投影レンズ部１７ａをワイパーのように払拭する。よって、投影レンズ部１７ａは、確実且つ簡易にクリーニングされる。
【００７３】
なお、レンズカバー１００が投影レンズ部１７ａに取り付けられている状態から取り外される状態において、少なくとも１回は、ベース部１５３同士は上下方向において引きつけあい、この動作に連動して、払拭面１７１ｃはクリーニングのために投影レンズ部１７ａをワイパーのように払拭する。よって、投影レンズ部１７ａは、確実且つ簡易にクリーニングされる。
【００７４】
また図２Ｆと図２Ｇとに示すように、払拭部１７１は、払拭時に、投影レンズ部１７ａに対してスライドするが、カバー凹部２３の内部から外部にはみ出ないようにカバー凹部２３の内部において投影レンズ部１７ａに対してスライドする。このとき、払拭部１７１を駆動させるベース部１５３も、カバー凹部２３の内部から外部にはみ出ないようにカバー凹部２３の内部において上下方向に移動する。つまりレンズカバー１００が外部にはみ出さないようにカバー凹部２３に位置決めされた状態で、払拭部１７１は投影レンズ部１７ａを払拭する。
【００７５】
またクリーニングが繰り返し実行され、払拭面１７１ｃが汚れたとする。この場合、払拭面１７１ｃを含む払拭部１７１は、払拭保持部１７３に対して交換される。もちろん、払拭保持部１７３がフック部１５７ａから取り外されて、クリーニングカバー部材１７０全体が交換されてもよい。
【００７６】
［効果］  
このように本実施形態では、レンズユニット１７を介して投影レンズ部１７ａに対するレンズカバー１００の着脱動作に連動して、投影レンズ部１７ａを確実且つ簡易にクリーニングできる。言い換えると本実施形態では、レンズカバー１００が着脱する際にクリーニング動作が実行されるため、クリーニングのみの動作が不要となり、不要な手間を省くことができる。  
また本実施形態では、レンズカバー１００が、例えば、静電気によって投影レンズ部１７ａの汚れを吸着する場合に比べて、払拭部１７１が投影レンズ部１７ａを直接払拭することによって、クリーニング効果を高めることができる。
【００７７】
また本実施形態では、払拭面１７１ｃが汚れても、払拭部１７１を交換できるため、常に一定のクリーニング効果を挙げることができる。また本実施形態では、交換によって払拭部１７１を洗浄することもでき、コストを削減できる。
【００７８】
また本実施形態では、払拭面１７１ｃは、例えば布やクッション材やエラストマーなど払拭に適した材質を有しており、投影レンズ部１７ａと略同一の曲率を有している。このような払拭面１７１ｃは投影レンズ部１７ａに当接している。よって本実施形態では、レンズカバー１００が取り付けられている際、払拭面１７１ｃによって投影レンズ部１７ａを確実に保護でき、投影レンズ部１７ａが汚れることを防止できる。
【００７９】
また本実施形態では、位置決め部１３３が縁部２７ａの一部２７１ａに位置決めされることによって、レンズユニット１７に対してレンズカバー１００を容易に位置決めできる。これにより本実施形態では、レンズカバー１００ががたつくことを防止できる。特に本実施形態では、レンズカバー１００が取り付けられる際、確実に投影レンズ部１７ａをカバーできる。また本実施形態では、投影レンズ部１７ａのクリーニング時において、払拭面１７１ｃがずれることなく常に投影レンズ部１７ａに当接できる。
【００８０】
また本実施形態では、レンズカバー１００が投影レンズ部１７ａをカバーする際、着脱部１５７はレンズユニット１７に含まれる支持体２０に配設される縁部２７ａの他部２７１ｂに係合する。これにより本実施形態では、レンズカバー１００は、縁部２７ａの他部２７１ｂ（被係合部）を介して間接的に投影レンズ部１７ａに取り付けられる。つまり本実施形態では、レンズカバー１００は投影レンズ部１７ａに直接取り付けられるのではない。よって、本実施形態では、レンズユニット１７に対するレンズカバー１００の着脱動作及びクリーニング動作時において、レンズカバー１００が投影レンズ部１７ａを傷つけることを防止できる。
【００８１】
また本実施形態では、払拭面１７１ｃが投影レンズ部１７ａを払拭する際、払拭部１７１は、払拭時に、投影レンズ部１７ａに対してスライドするが、カバー凹部２３の内部から外部にはみ出ないようにカバー凹部２３の内部において投影レンズ部１７ａに対してスライドする。このとき、払拭部１７１を駆動させるベース部１５３も、カバー凹部２３の内部から外部にはみ出ないようにカバー凹部２３の内部において上下方向に移動する。このときレンズカバー１００は、外部にはみ出さないように凹部に位置決めされた状態で収容されている。このように本実施形態では、クリーニング時においてレンズカバー１００はカバー凹部２３からはみ出ないため、プロジェクタ１０をコンパクトにできる。
【００８２】
なお本実施形態では、払拭保持部１７３が着脱部１５７に対して交換可能であれば、払拭部１７１は払拭保持部１７３とは別体であるが一体であってもよい。
【００８３】
また本実施形態では、プロジェクタ１０の未使用時（レンズカバー１００が取り付けられる際）、及び投影レンズ部１７ａのクリーニング時において、投影レンズ部１７ａをレンズユニット１７の光軸に沿って最も前方に移動させているが、これに限定する必要はない。払拭面１７１ｃが投影レンズ部１７ａに当接できれば、投影レンズ部１７ａを所望する位置、例えば、最も後方に移動させられてもよい。これは、例えばＹ方向における払拭保持部１７３の長さを調整することで達成される。
【００８４】
［第２の実施形態］  
［構成］  
図３Ａ乃至図３Ｇを参照して、第２の実施形態について説明する。なお本実施形態では、第１の実施形態とは異なる部分についてのみ説明する。  
図３Ａは、第２の実施形態に係り、クリーニングカバー部材側からみたベース部材とクリーニングカバー部材と付勢部材と取り付け部材との分解斜視図である。  
図３Ｂは、ベース部材側からみたベース部材とクリーニングカバー部材と付勢部材と取り付け部材との分解斜視図である。  
図３Ｃは、ベース部材の斜視図である。  
図３Ｄは、取り付け部材を介して付勢部材が取り付けられているクリーニングカバー部材の斜視図である。  
図３Ｅは、クリーニングカバー部材に取り付けられている取り付け部材の斜視図である。  
図３Ｆは、付勢部材が伸びた状態で投影レンズ部がクリーニングされる際の概略断面図である。  
図３Ｇは、付勢部材が縮んだ状態で投影レンズ部がクリーニングされる際の概略断面図である。
【００８５】
第１の実施形態では、少なくとも投影レンズ部１７ａのクリーニング時において、投影レンズ部１７ａはレンズユニット１７の光軸に沿って最も前方に移動する例で説明したが、本実施形態では、クリーニング時においてこの動作が不要となる。
【００８６】
［払拭保持部１７３］  
図３Ａ乃至図３Ｃに示すように、払拭保持部１７３は、例えば、矩形で、略平板状を有している。払拭保持部１７３の一端部はフック部１５７ａと一体となっている。
【００８７】
図３Ａと図３Ｂと図３Ｆと図３Ｇとに示すように、払拭保持部１７３は、レンズカバー１００が投影レンズ部１７ａをカバーする際及びレンズカバー１００が投影レンズ部１７ａをクリーニングする際、払拭面１７１ｃが投影レンズ部１７ａに当接するように、投影レンズ部１７ａの移動方向、詳細には前後方向において、投影レンズ部１７ａに向けて払拭部１７１を付勢する付勢部材１７５を有している。図３Ｆに示すように、付勢部材１７５は、例えば投影レンズ部１７ａが後方に移動した際、払拭面１７１ｃが投影レンズ部１７ａに当接し続けるように伸びる。図３Ｇに示すように、付勢部材１７５は、例えば、投影レンズ部１７ａが前方に移動した際、投影レンズ部１７ａに接触する払拭面１７１ｃを有する払拭部１７１を介して投影レンズ部１７ａによって押されて縮む。このように、付勢部材１７５は、投影レンズ部１７ａの移動に連動して前後方向において伸縮自在となっている。付勢部材１７５は、例えばコイルバネなどによって形成されている。
【００８８】
図３Ａと図３Ｃとに示すように、フック部１５７ａと一体となっており、樹脂によって成形されている払拭保持部１７３において、付勢部材１７５の一端部は、払拭保持部１７３に配設されているリング形状の溝部１７３ｄに嵌め込まれる。そしてこの一端部は、溝部１７３ｄ周辺が溶解することによって払拭保持部１７３に接着固定されている、または接着剤などによって払拭保持部１７３に接着固定されている。
【００８９】
また図３Ｂと図３Ｄと図３Ｅとに示すように、付勢部材１７５の他端部は、付勢部材１７５を払拭本体部１７１ａに取り付ける凸形状の取り付け部材１７７に取り付けられる。取り付け部材１７７は、例えば樹脂などによって形成されている。取り付け部材１７７は、払拭本体部１７１ａの裏面に配設されている開口部１７１ｄに嵌め込まれる先端部１７７ａと、先端部１７７ａよりも太い基端部１７７ｂとを有している。先端部１７７ａの外径は、付勢部材１７５の内径と略同一である。基端部１７７ｂの外径は、付勢部材１７５の内径よりも大きい。基端部１７７ｂは、開口部２７の外部に配設される。基端部１７７ｂは、例えば、基端部１７７ｂの撓みを促進させる直線状のスリット部１７７ｃを有している。
【００９０】
付勢部材１７５が払拭本体部１７１ａに取り付けられる際、取り付け部材１７７の先端部１７７ａは予め開口部１７１ｄに嵌め込まれ、取り付け部材１７７は予め払拭本体部１７１ａに取り付けられる。次に、基端部１７７ｂはスリット部１７７ｃによって撓み、付勢部材１７５の他端部の先端は、先端部１７７ａに巻き付くようにして先端部１７７ａに固定され、他端部は、基端部１７７ｂによって引っかかる。これにより払拭部１７１は、払拭保持部１７３に取り付けられる。
【００９１】
払拭部１７１が交換される際、基端部１７７ｂはスリット部１７７ｃによって撓み、付勢部材１７５の他端部は先端部１７７ａから取り外される。
【００９２】
［動作］  
［プロジェクタ１０の未使用時（レンズカバー１００が取り付けられる際）、及び投影レンズ部１７ａのクリーニング時］  
本実施形態では、第１の実施形態とは異なり、投影レンズ部１７ａを移動させる操作は基本的には不要となる。  
図３Ｆと図３Ｇとに示すように、レンズカバー１００が取り付けられた際、付勢部材１７５は払拭部１７１を付勢するため、払拭面１７１ｃは投影レンズ部１７ａに確実に当接する。なおこの状態で、フォーカスリング１７ｂが操作され、投影レンズ部１７ａはレンズユニット１７の光軸に沿って前後に移動しても、図３Ｆと図３Ｇとに示すように、付勢部材１７５はこの移動に連動して伸縮するため、払拭面１７１ｃは投影レンズ部１７ａに接触し続ける。
【００９３】
［効果］  
このように本実施形態では、投影レンズ部１７ａを移動させなくても、払拭面１７１ｃを投影レンズ部１７ａに確実に当接できる。また本実施形態では、投影レンズ部１７ａを移動させる操作を省くことができる。よって本実施形態では、投影レンズ部１７ａを確実且つ簡易にクリーニング及びカバー可能となる。
【００９４】
また本実施形態では、払拭面１７１ｃが投影レンズ部１７ａを払拭するために上下方向に投影レンズ部１７ａをスライドさせる際、投影レンズ部１７ａに対する払拭面１７１ｃの接触圧は付勢部材１７５によって一定となる。よって本実施形態では、払拭時において、投影レンズ部１７ａに負荷がかかることを防止できる。
【００９５】
また本実施形態では、付勢部材１７５を交換することによって、接触圧を常に一定に保つことができる。
【００９６】
また本実施形態では、付勢部材１７５を確実に払拭本体部１７１ａと払拭部１７１とに固定でき、払拭本体部１７１ａに対する払拭部１７１の位置ずれを防止できる。よって本実施形態では、投影レンズ部１７ａに対する払拭部１７１の位置ずれを防止できる。
【００９７】
本発明は上記実施形態そのままに限定されるものではなく、実施段階ではその要旨を逸脱しない範囲で構成要素を変形して具体化できる。また上記実施形態に開示されている複数の構成要素の適宜な組み合せにより種々の発明を形成できる。
【００９８】
上記実施形態では、投影レンズ１７ａを有する投影装置の例で説明したが、例えば、撮像レンズ部１７ａを有するデジタルカメラ、ムービーカメラ、業務用のＴＶカメラや医療用のカメラ、対物レンズや接眼レンズを有する顕微鏡、望遠距等、レンズを有する種々の光学装置に応用できることはもちろんである。
【００９９】
また本発明のいくつかの実施形態と変形例とを説明したが、これらは特許請求の範囲に記載された発明とその均等の範囲に含まれる。
【０１００】
以下に、本願出願の当初の特許請求の範囲に記載された発明を付記する。
【０１０１】
［１］
光学装置のレンズユニットに含まれるレンズ部をカバーするレンズカバーであって、
前記レンズユニットに取り付けられた際に前記レンズ部をカバーすると共に、着脱動作に連動して前記レンズ部を払拭によってクリーニングするクリーニングカバー部材を具備することを特徴とするレンズカバー。
【０１０２】
［２］
前記レンズユニットに着脱するベース部材をさらに具備し、
前記クリーニングカバー部材は、前記ベース部材に配設されており、前記ベース部材が前記レンズユニットに取り付けられた際に前記レンズ部をカバーすると共に、前記ベース部材の着脱動作に連動して前記レンズ部を払拭によってクリーニングすることを特徴とする［１］に記載のレンズカバー。
【０１０３】
［３］
前記ベース部材は、
付勢力を有する付勢部と、
前記付勢部の両脇それぞれに配設されており、前記付勢力によって互いを引き離されるベース部と、
前記ベース部それぞれに配設され、前記ベース部を前記付勢力に反して引き付けあうように操作する前記操作部と、
前記ベース部それぞれに配設され、前記ベース部同士が操作部によって引き付けあう、または前記ベース部同士が前記付勢力によって引き離されることに連動して、前記レンズユニットに着脱する着脱部と、
を有することを特徴とする［２］に記載のレンズカバー。
【０１０４】
［４］
前記クリーニングカバー部材は、前記ベース部材に対して交換可能となるように前記ベース部材に係合されていることを特徴とする［３］に記載のレンズカバー。
【０１０５】
［５］
前記着脱部は、前記レンズユニットの縁部に着脱自在となっていることを特徴とする［３］または［４］に記載のレンズカバー。
【０１０６】
［６］
前記付勢部は、蛇行形状を有することを特徴とする［３］乃至［５］のいずれか１つに記載のレンズカバー。
【０１０７】
［７］
前記クリーニングカバー部材は、
前記着脱部が前記レンズユニットに取り付けられた際に前記レンズ部をカバーし、前記着脱部が前記レンズユニットに着脱することに連動して前記レンズ部を払拭する払拭部と、
前記着脱部それぞれに配設され、前記払拭部が前記レンズ部に当接するように前記払拭部をそれぞれが保持する払拭保持部と、
を有することを特徴とする［３］乃至［６］のいずれか１つに記載のレンズカバー。
【０１０８】
［８］
前記払拭部は、前記着脱部が前記レンズユニットに着脱することに連動して、互いに引き付けあうまたは引き離されるようにして前記レンズ部を払拭することを特徴とする［７］に記載のレンズカバー。
【０１０９】
［９］
前記払拭部は、前記払拭保持部に対して交換可能となるように前記払拭保持部に保持されていることを特徴とする［７］または［８］に記載のレンズカバー。
【０１１０】
［１０］
前記払拭部は、前記レンズ部に当接して払拭し、前記レンズ部と略同一の曲率を有する払拭面を有していることを特徴とする［７］乃至［９］のいずれか１つに記載のレンズカバー。
【０１１１】
［１１］
前記払拭保持部は、前記払拭面が前記レンズ部に当接するように、前記レンズ部に向けて前記払拭部を付勢する付勢部材を有していることを特徴とする［７］乃至［１０］のいずれか１つに記載のレンズカバー。
【０１１２】
［１２］
前記レンズユニットは、前記レンズ部を支持する支持体をさらに有し、
前記支持体は、前記光学装置の前面が配設される平面に対して前記光学装置の背面に向かって凹設されている凹部をさらに有し、
レンズカバーは、外部にはみ出さないように前記凹部に収容されていることを特徴とする［１］乃至［１１］のいずれかに記載のレンズカバー。
【０１１３】
［１３］
レンズカバーが外部にはみ出さないように前記凹部に位置決めされた状態で、前記クリーニングカバー部材は前記レンズ部を払拭することを特徴とする［１２］に記載のレンズカバー。
【０１１４】
［１４］
［１］乃至［１３］のいずれか１つに記載のレンズカバーを有することを特徴とする光学装置。
【０１１５】
［１５］
前記レンズ部は投影レンズ部であることを特徴とする［１４］に記載の光学装置。
【符号の説明】
【０１１６】
１０…プロジェクタ、１１…下ケース、１３…上ケース、１７…レンズユニット、１７ａ…投影レンズ部、１７ｂ…フォーカスリング、１７ｃ…ズームリング、２０…支持体、２１…調整凹部、２３…カバー凹部、２５…仕切り壁部、２７…開口部、２７ａ…縁部、１００…レンズカバー、１１０…前ケース、１３０…後ケース、１５０…ベース部材、１５１…付勢部、１５３…ベース部、１５５…操作部、１５７…着脱部、１５７ａ…フック部、１７０…クリーニングカバー部材、１７１…払拭部、１７１ａ…払拭本体部、１７１ｃ…払拭面、１７３…払拭保持部。
【図１Ａ】
2014145925.tif 000003
【図１Ｂ】
2014145925.tif 000004
【図２Ａ】
2014145925.tif 000005
【図２Ｂ】
2014145925.tif 000006
【図２Ｃ】
2014145925.tif 000007
【図２Ｄ】
2014145925.tif 000008
【図２Ｅ】
2014145925.tif 000009
【図２Ｆ】
2014145925.tif 000010
【図２Ｇ】
2014145925.tif 000011
【図３Ａ】
2014145925.tif 000012
【図３Ｂ】
2014145925.tif 000013
【図３Ｃ】
2014145925.tif 000014
【図３Ｄ】
2014145925.tif 000015
【図３Ｅ】
2014145925.tif 000016
【図３Ｆ】
2014145925.tif 000017
【図３Ｇ】
2014145925.tif 000018